(57)【要約】      （修正有）【課題】開きやこじりに対する強度が大きく、かつ組立作業が容易な構造にする。【解決手段】相手方コネクタと電気的に接続されるプラグ部を有するハウジング４の外周の一部を囲って配設される把持部材５が、アッパーケース５Ａとロアケース５Ｂの二つのケースに分割されているプラグコネクタにおいて、ハウジング４のプラグ部基部近傍における左右側面の上下２カ所に、それぞれ左右1対の上側フック部９Ａと左右１対の下側フック部１０Ａとを設け、かつアッパーケース５Ａの左右内側面に、上側フック部９Ａと対応して、９Ａと嵌合可能なアッパーケース側フック部９Ｂを各々設けるとともに、ロアケース５Ｂの左右内側面に、１０Ａと対応して、１０Ａと嵌合可能なロアケース側フック部１０Ｂを各々設けてなり、前記対応し合うフック部を互いに嵌合させて、ハウジング４にアッパーケース５Ａおよびロアケース５Ｂを各々取り付ける構成にした。【選択図】図２
2008010379.tif 000002
【特許請求の範囲】
【請求項１】
相手方コネクタと電気的に接続されるプラグ部を有するハウジングと、該ハウジングの少なくとも外周の一部を囲って配設された把持部材とを備え、前記把持部材がアッパーケースとロアケースの二つのケースに分割されているプラグコネクタにおいて、
前記ハウジングの前記プラグ部基部近傍における左右側面の上下２カ所に、それぞれ左右1対の上側フック部と左右１対の下側フック部とを設け、かつ前記アッパーケースの左右内側面に、前記左右1対の上側フック部と対応して、該上側フック部と嵌合可能なアッパーケース側フック部を各々設けるとともに、前記ロアケースの左右内側面に、前記左右１対の下側フック部と対応して、該左右１対の下側フック部と嵌合可能なロアケース側フック部を各々設けてなり、
前記対応し合う各フック部を互いに嵌合させて、前記アッパーケースおよび前記ロアケースを前記ハウジングに取り付けたことを特徴とするプラグコネクタ。
【請求項２】
上記ハウジングに、前記プラグ部の基部を保持している台座部を一体に設け、該台座部の左右外側面に前記ハウジング側の前記フック部を各々形成したことを特徴とする請求項１記載のプラグコネクタ。
【請求項３】
上記アッパーケースおよび上記ロアケースに設けた上記フック部と上記ハウジング側に設けた上記フック部は、前記アッパーケースおよび上記ロアケースが前記ハウジングに対して押し付けられた際、互いに突き当たる突き当て面を、この押し付けられたアッパーケースおよびロアケースの左右側面を外方へ逃がす傾斜面で形成し、嵌合時に互いに嵌合し合う他方の突き合わせ面を平面で形成したことを特徴とする請求項１または２記載のプラグコネクタ。
【発明の詳細な説明】
【技術分野】
【０００１】
本発明は、プラグコネクタに関するものであり、特に、携帯電話、ＰＤＡ(携帯情報端末)、デジタルカメラ等の、携帯型電子機器に使用されるプラグコネクタに関するものである。
【背景技術】
【０００２】
近年、携帯電話、ＰＤＡ(携帯情報端末)、デジタルカメラ等の携帯型電子機器の市場が急速に広がっている。
【０００３】
それらの携帯型電子機器を使用して、データ通信を行う場合や充電を行う際には、一般的に、プラグコネクタ付のケーブルが利用されている（例えば、特許文献１、特許文献２参照）。
【０００４】
これらのプラグコネクタは、相手方コネクタと電気的に接続されるプラグ部を有するハウジングと、プラグ部内のコンタクトピンに芯線をはんだ接続したケーブルとの接続部分の外側を、上記プラグ部の先端部分を露呈させ、かつ他の部分を、アッパーケースとロアケースの二つの部材に分割されている把持部材で覆い、コンタクトピンとケーブルとの接続部分に、ねじれ等が生じないように保護している。
【０００５】
そのアッパーケースとロアケースの取り付け方としては、例えば特許文献１，特許文献２で知られるように、アッパーケースとロアケースを互いにビス止めする方法等が知られている。
【０００６】
また、図３および図４に示すプラグコネクタ１０１のように、アッパーケース１０２ａにフック１０３を設けるとともに、ロアケース１０２ｂにフック１０３が圧入または係合されるボス孔１０４を設けてなり、アッパーケース１０２ａとロアケース１０２ｂとの間にハウジング１０５を挟み、かつフック１０３とボス孔１０４との係合により、アッパーケース１０２ａとロアケース１０２ｂとを互いに止着して成るプラグコネクタも知られている。
【特許文献１】特開２００５−８５４６９号公報（図１０）。
【特許文献２】特開２００１−１８５２８２号公報。
【発明の開示】
【発明が解決しようとする課題】
【０００７】
しかしながら、プラグ部基部には、コンタクトピンが密集して配設されているので、特許文献１、特許文献２に記載されているプラグコネクタのように、アッパーケースとロアケースをビス止めする構造では、プラグ基部近傍にはネジ止め機構を設けることができない。このため、プラグ基部とは離れた、プラグコネクタの後端部側に偏らせてネジ止め機構を設けることになるので、固定が不安定で、プラグ基部近傍の合わせ部分がこじられると、不用意に開くという問題点があった。
【０００８】
一方、図４および図５に示すように、互いに圧入または係合されるフック１０３とボス孔１０４とで、アッパーケース１０２ａとロアケース１０２ｂを止着する構成では、ハウジング１０５を、アッパーケース１０２ａとロアケース１０２ｂとで挟み込む手段をとっているので、ケース１０２ａ，１０２ｂとハウジング１０５との間に隙間ができ、ガタツキが発生し易いという問題があった。また、フック１０３とボス孔１０４との止着部は、プラグ部近傍の左右二カ所だけで行っているので、開きやこじり力等に対しての強度が不
足するという難点もあった。
【０００９】
そこで、開きやこじりに対する強度が大きく、かつ、組立作業が容易な構造とするために解決すべき技術的課題が生じてくるのであり、本発明はこの課題を解決することを目的とする。
【課題を解決するための手段】
【００１０】
本発明は上記目的を達成するために提案されたものであり、請求項１記載の発明は、相手方コネクタと電気的に接続されるプラグ部を有するハウジングと、該ハウジングの少なくとも外周の一部を囲って配設された把持部材とを備え、前記把持部材がアッパーケースとロアケースの二つのケースに分割されているプラグコネクタにおいて、前記ハウジングの前記プラグ部基部近傍における左右側面の上下２カ所に、それぞれ左右1対の上側フック部と左右１対の下側フック部とを設け、かつ前記アッパーケースの左右内側面に、前記左右1対の上側フック部と対応して、該上側フック部と嵌合可能なアッパーケース側フック部を各々設けるとともに、前記ロアケースの左右内側面に、前記左右１対の下側フック部と対応して、該左右１対の下側フック部と嵌合可能なロアケース側フック部を各々設けてなり、前記対応し合う各フック部を互いに嵌合させて、前記アッパーケースおよび前記ロアケースを前記ハウジングに取り付けたプラグコネクタを提供する。
【００１１】
この構成によれば、ハウジング側の左右１対の上部フック部とアッパーケース側の左右１対のフック部、およびハウジング側の左右１対の下部フック部とロアケース側の左右１対のフック部との嵌合により、アッパーケースおよびロアケースを、それぞれハウジングの左右２カ所で嵌合させて固定しているので、アッパーケースとハウジングとの間のガタツキ、および、ロアケースとハウジングとの間のガタツキを無くした状態で、各ケースをハウジングに止着することができる。
【００１２】
請求項２記載の発明は、請求項１において、上記ハウジングに、前記プラグ部の基部を保持している台座部を一体に設け、該台座部の左右外側面に前記ハウジング側の前記フック部を各々形成したプラグコネクタを提供する。
【００１３】
この構成によれば、プラグ部の基部を保持している台座部の左右外側面に、ハウジング側のフック部を各々形成し、プラグ部の基部近傍にアッパーケースおよびロアケースを各々固定するので、プラグ部の基部近傍における、ハウジングとアッパーケースおよびロアケースとの結合強度が増大する。
【００１４】
請求項３記載の発明は、請求項１または２において、上記アッパーケースおよび上記ロアケースに設けた上記フック部と上記ハウジング側に設けた上記フック部は、前記アッパーケースおよび上記ロアケースが前記ハウジングに対して押し付けられた際、互いに突き当たる突き当て面を、この押し付けられたアッパーケースおよびロアケースの左右側面を外方へ逃がす傾斜面で形成し、嵌合時に互いに嵌合し合う他方の突き合わせ面を平面で形成したプラグコネクタを提供する。
【００１５】
この構成によれば、アッパーケースまたはロアケースをハウジング側に押し付けると、傾斜面の形状により、押し付けられた側のアッパーケースまたはロアケースのフック部が外方に逃がされ、この逃げによって該ケースの押し込みが許容される。また、所定の位置までケースが押し込まれると、ケース側フック部が弾性復元し、ケース側におけるフック部の平面とハウジング側におけるフック部の平面とが、互いに突き合わせされて確実に嵌合される。
【発明の効果】
【００１６】
請求項１記載の発明は、アッパーケースとハウジングとの間のガタツキ、およびロアケースとハウジングとの間のガタツキを無くした状態で、アッパーケースおよびロアケースをハウジングに止着することができるので、製品の品質を向上させることができる。
【００１７】
請求項２記載の発明は、プラグ部の基部近傍で、ハウジングとアッパーケースおよびロアケースとの間をそれぞれ固定するので、請求項１の発明の効果に加えて、特にプラグ部の基部近傍で、ハウジングとプラグ部との結合強度を増加させることができる。
【００１８】
請求項３記載の発明は、アッパーケースおよびロアケースをハウジング側に押し付けると、押し付けられたアッパーケースおよびロアケース側のフック部が各々外方へ自動的に逃がされ、該アッパーケースおよびロアケースの押し込みが許容され、また所定の位置まで押し込まれると、アッパーケースおよびロアケース側の各フック部が弾性復元し、ハウジング側のフック部の平面とアッパーケースおよびロアケース側のフック部の平面とが、互いに突き合わされて確実に嵌合されるので、請求項１または請求項２記載の発明の効果に加えて、組立作業性をより向上させることができる。
【発明を実施するための最良の形態】
【００１９】
開きやこじりに対する強度が大きく、かつ、組立作業が容易な構造にするという目的を達成するために、相手方コネクタと電気的に接続されるプラグ部を有するハウジングと、該ハウジングの少なくとも外周の一部を囲って配設された把持部材とを備え、前記把持部材がアッパーケースとロアケースの二つのケースに分割されているプラグコネクタにおいて、前記ハウジングの前記プラグ部基部近傍における左右側面の上下２カ所に、それぞれ左右1対の上側フック部と左右１対の下側フック部とを設け、かつ前記アッパーケースの左右内側面に、前記左右1対の上側フック部と対応して、該上側フック部と嵌合可能なアッパーケース側フック部を各々設けるとともに、前記ロアケースの左右内側面に、前記左右１対の下側フック部と対応して、該左右１対の下側フック部と嵌合可能なロアケース側フック部を各々設けてなり、前記対応し合う各フック部を互いに嵌合させて、前記アッパーケースおよび前記ロアケースを前記ハウジングに取り付ける構成にしたことにより実現した。
【実施例】
【００２０】
以下、本発明のプラグコネクタについて、好適な実施例をあげて説明する。
図１は本発明の一実施の形態として示すプラグコネクタを上側から見た斜視図、図２は図１のＡ−Ａ線矢視断面図、図３は同上プラグコネクタ内の要部部品の概略配置状態と共に示す同上プラグコネクタの裏面図である。
【００２１】
図１乃至図３において、プラグコネクタ１は、一端部側に相手方コネクタ(図示せず)と電気的に接続されるプラグ部２を有し、他端部側にケーブル３が取り付けられているハウジング４と、図１および図３に示すように、プラグ部２の先端部を露出させ、かつプラグ部２の基部２ａおよびケーブル３との接続部分８の外側を囲って、ハウジング４に取り付けられている把持部材５とを備えてなる。
【００２２】
ハウジング４は、合成樹脂製の一体成形品で、一端部側には、複数のコンタクトピン７，７…をインサートしてなるプラグ部２が設けられ、他端部側には、プラグ部２のコンタクトピン７，７…と芯線を電気的に接続させているケーブル３との接続部分８を設け、外形は上面視においてほぼ角形状をしたブロック体として形成されている。また、図３に示すように、プラグ部２の基部２ａと隣接している左右両側面には、各々左右外方に突出した状態にして、四角形状の台座部６が一体に形成されている。そのハウジング４の左右両側面、すなわち台座部６の外側面における上下２カ所の位置には、図２に示すように、左右１対の上側フック部９Ａ，９Ａと，同じく左右１対の下側フック部１０Ａ，１０Ａが、
それぞれ台座部６の左右外側面から外方に向かって水平に突出した状態で設けられている。
【００２３】
ハウジング４側の上側フック部９Ａは、図２に示すように、上面側が上側から下側に向かって下がる傾斜面１１として形成され、突き合わせ面となる下面１２側が平面状に形成されている。一方、ハウジング４側の下側フック部１０Ａは、同じく図２に示すように、下面側が下側から上側に向かって上がる傾斜面１３として形成され、突き合わせ面となる上面１４側が平面状に形成されている。
【００２４】
把持部材５は、ハウジング４を挟んで異なる方向から、すなわち図１および図２では上下方向から、それぞれ取り付けられるアッパーケース５Ａとロアケース５Ｂの二つのケースに分割されており、該アッパーケース５Ａとロアケース５Ｂとから成る把持部材５内に前記ハウジング４等が収容された状態にして配設されている。
【００２５】
アッパーケース５Ａは、合成樹脂材製の一体成形品で、下面側が開口され、内部に、プラグ部２の一部(基部)およびケーブル３との接続部分の一部と共にハウジング４を入れ込む構造としており、下側周縁部には重ね合わせ壁１７が設けられ、左右の内側面には、ハウジング４側の左右１対の上側フック部９Ａ，９Ａに対応して、この上側フック部９Ａ，９Ａと共に係止手段２５ａを構成する左右１対のアッパーケース側フック部９Ｂ，９Ｂが、内方に向かって水平に突設されている。アッパーケース側フック部９Ｂ，９Ｂは、図２に示すように、下面側が上側に向かって斜設された傾斜面１８が設けられ、更に、突き合わせ面となる上面１９側は平面状に形成されている。
【００２６】
ロアケース５Ｂは、合成樹脂製の一体成形品で、上面側が開口され、アッパーケース５Ａと同様に、内部に、プラグ部２の一部(基部)およびケーブル３との接続部分の一部と共にハウジング４を入れ込む構造としており、上側周縁部にはアッパーケース５Ａ側の重ね合わせ壁１７と入り組んで二重壁状に配置される重ね合わせ壁２０が設けられている。また、左右の内側面には、ハウジング４側の左右１対の下側フック部１０Ａ，１０Ａに対応して、この下側フック部１０Ａ，１０Ａと共に係止手段２５ｂを構成する左右１対のロアケース側フック１０Ｂ，１０Ｂが、内方に向かって水平に突設されている。ロアケース側フック部１０Ｂ，１０Ｂは、図２に示すように、上面側が傾斜面２１に形成され、突き合わせ面となる下面２２側が平面状に形成されている。
【００２７】
このように構成された、把持部材５をハウジング４に取り付ける場合は、ハウジング４を間に挟み、かつアッパーケース５Ａとロアケース５Ｂの各内側をそれぞれハウジング４の上下面側に向け、このアッパーケース５Ａとロアケース５Ｂを同時、または別々にハウジング４に押し付けると、その途中で、上側フック部９Ａの傾斜面１１とアッパーケース側フック部９Ｂの傾斜面１８、および下側フック部１０Ａの傾斜面１３とロアケース側フック部１０Ｂの傾斜面２１とが当接する。この傾斜面１１，１８および１３，２１の当接により、アッパーケース５Ａおよびロアケース５Ｂの各フック部９Ｂ，９Ｂ，１０Ｂ，１０Ｂがそれぞれ外方に向かって弾性変形によって逃がされ、アッパーケース５Ａおよびロアケース５Ｂの押し込みがそれぞれ許容され、更に、アッパーケース５Ａおよびロアケース５Ｂを押し込むことにより、前記それぞれ対応する傾斜面１１，１８および１３，２１における相互の圧接を脱して上側フック部９Ａの突き当て面(下面１２)とアッパーケース側フック部９Ｂの突き当て面(上面１９)、および下側フック部１０Ａの突き当て面(上面１４)とロアケース側フック部１０Ｂの突き当て面(下面２２)とがそれぞれ対面することになり、ここでアッパーケース５Ａおよびロアケース５Ｂの弾性復元力で、上側フック部９Ｂおよび下側フック部１０Ｂが各々元の位置まで復元し、突き当て面(１２と１９、１４と２２)が互いに嵌合し、また、重ね合わせ壁１７および２０とが互いに入り込んだ状態で、アッパーケース５Ａとロアケース５Ｂとがハウジング４に取り付け保持され、これ
によりプラグコネクタ１の組立が完了する。
【００２８】
したがって、このように構成されたプラグコネクタ１は、上側フック部９Ａとケース側フック部１０Ａとでなる係止手段２５ａ、および下側フック部９Ｂとケース側フック部１０Ｂとでなる係止手段２５ｂを用いて、アッパーケース５Ａおよびロアケース５Ｂをハウジング４に直接固定するので、アッパーケース５Ａとハウジング４との間のガタツキ、およびロアケース５Ｂとハウジング４との間のガタツキを無くした状態で、各ケース５Ａ，５Ｂをハウジング４に容易かつ、安定的に止着することができる。
【００２９】
なお、上記実施の形態では、ハウジング４側における上下のフック部９Ａ，１０Ａとケース５Ａ，５Ｂにおけるフック部９Ｂ，１０Ｂの両方に、傾斜面(１１，１５，１８，２１)を形成した構造を開示したが、この傾斜面はハウジング４側における上下のフック部９Ａ，１０Ａとケース５Ａ，５Ｂにおけるフック部９Ｂ，１０Ｂのいずれか一方に設けることもできる。
【００３０】
また、本発明は、本発明の精神を逸脱しない限り種々の改変を為すことができ、そして、本発明が該改変されたものに及ぶことは当然である。
【図面の簡単な説明】
【００３１】
【図１】本発明の一実施の形態として示すプラグコネクタをアッパーケース側から見た斜視図。
【図２】図１のＡ−Ａ線矢視断面図。
【図３】内部の要部部品の配置状態と共に示すロアケース側から見た同上プラグコネクタの平面図。
【図４】従来におけるプラグコネクタをロアケース側より見た平面図。
【図５】アッパーケースを取り外した状態で示す図３に示すプラグコネクの側面図。
【符号の説明】
【００３２】
１        プラグコネクタ
２        プラグ部
２ａ      プラグ部基部
３        ケーブル
４        ハウジング
５        把持部材
５Ａ      アッパーケース
５Ｂ      ロアケース
８        接続部分
９Ａ      ハウジング側フック部（上側フック部）
９Ｂ      アッパーケース側フック部
１０Ａ    ハウジング側フック部（下側フック部）
１０Ｂ    ロアケース側フック部
１１      傾斜面
１２      下面(突き合わせ面)
１３      傾斜面
１４      上面(突き合わせ面)
１５      傾斜面
１８      傾斜面
１９      上面(突き合わせ面)
２１      傾斜面
２２      下面(突き合わせ面)
【図１】
2008010379.tif 000003
【図２】
2008010379.tif 000004
【図３】
2008010379.tif 000005
【図４】
2008010379.tif 000006
【図５】
2008010379.tif 000007